(57)【要約】【課題】コンピュータなどの電子機器の筐体外部へと突出した突起を設けずともハードディスクなどの記憶装置を筐体から取り出すことができるようにして、電子機器の小型化に寄与する記憶装置取り出し機構を提供する。【解決手段】ＨＤＤ３０に固定された前面プレート３４と、前面プレート３４に取り付けられたカバー２０を設ける。カバー２０は前面プレート３４に接近した第１の位置と、前面プレート３４から距離を空けた第２の位置と、の間で取り出し方向にスライド可能である。カバー２０が第２の位置よりもさらに前面プレート３４から離れるように取り出し方向の力を受けると、前面プレート３４およびＨＤＤ３０がカバー２０と共に取り出し方向へと移動し、筐体１１からＨＤＤ３０が取り出される。【選択図】図６
2018055743.tif 000002
【特許請求の範囲】
【請求項１】
電子機器の筐体内に収容された記憶装置を前記筐体の外部へと取り出すために用いられる記憶装置取り出し機構において、
前記記憶装置に固定された前面プレートと、前記前面プレートに取り付けられたカバーと、が設けられており、
前記前面プレートは、前記記憶装置が前記筐体内に収容された状態において前記筐体の外部へと一面を向けるように配置されており、
前記カバーは、前記前面プレートに接近した第１の位置と、前記前面プレートから距離を空けた第２の位置との間で取り出し方向にスライド可能であり、
前記カバーが前記第２の位置よりもさらに前記前面プレートから離れるように前記取り出し方向の力を受けると、前記前面プレートおよび前記記憶装置が前記カバーと共に前記取り出し方向へと移動すること
を特徴とする記憶装置取り出し機構。
【請求項２】
前記記憶装置が前記筐体に収容されている状態においては、前記第１の位置にある前記カバーの外面が前記筐体の外面の一部を成すこと
を特徴とする請求項１に記載の記憶装置取り出し機構。
【請求項３】
前記カバーには、前記取り出し方向に延びるアームが少なくとも１つ設けられており、
前記アームのうち、前記第１の位置と前記第２の位置との間の距離だけ前記カバーから離れた位置に、前記取り出し方向と交差する方向に突出するツメが設けられており、
前記前面プレートには、前記前面プレートを貫通するスリットが少なくとも１つ設けられており、前記スリットは、前記カバーが前記第１の位置から前記取り出し方向に移動するとき前記アームは通過できるが前記ツメは通過できない形状であること
を特徴とする請求項１または請求項２に記載の記憶装置取り出し機構。
【請求項４】
前記アームは、前記取り出し方向に延びる角柱の形状を有しており、
前記ツメは、前記角柱のうち前記カバーと反対側の端部に設けられており、前記角柱の一側面から突出していること
を特徴とする請求項３に記載の記憶装置取り出し機構。
【請求項５】
前記アームは、前記取り出し方向に交差する左右方向へ分岐した一対の分岐枝を有しており、
前記ツメは、前記一対の分岐枝のそれぞれに設けられていて、それぞれの分岐枝に設けられた前記ツメは、それぞれ他方の分岐枝から離れる方向に突出していること
を特徴とする請求項３に記載の記憶装置取り出し機構。
【発明の詳細な説明】
【技術分野】
【０００１】
本発明は、電子機器の筐体内に収容された記憶装置を前記筐体の外部へと取り出すために用いられる記憶装置取り出し機構に関するものである。
【背景技術】
【０００２】
産業用コンピュータなどの、複雑な動作を行う電子機器に、記憶装置（ハードディスクやソリッドステートドライブなど）が装着されることがある。この記憶装置には、電子機器の動作を制御するためのデータやソフトウェアが記録されたり、あるいは電子機器の動作の結果が記録されたりする。記憶装置に記録されている動作制御用のデータが更新される場合や、記憶装置が新しいものと交換される場合などには、記憶装置が電子機器から取り出される必要がある。
【０００３】
図７に、従来の電子機器の一例としてコンピュータ９０を示す。このコンピュータ９０の筐体内には、記憶装置としてＨＤＤ９５（ハードディスク）が収容されている。そして、ＨＤＤ９５の外面にはプレート９２が取り付けられていて、プレート９２には筐体外部へと突出する突起９６が設けられている。ＨＤＤ９５をコンピュータ９０の筐体から取り出したい場合には、図７に示すように、突起９６にユーザが指を掛けて引っ張ることにより、プレート９２と共にＨＤＤ９５を筐体の外部へと移動させることができる。このように、図７のコンピュータ９０ではプレート９２とその突起９６が、ＨＤＤ９５を筐体の外部へと取り出すための記憶装置取り出し機構として働く。
【発明の概要】
【発明が解決しようとする課題】
【０００４】
しかしながら、図１に示すような記憶装置取り出し機構では、突起９６が筐体外部へと突出しているため、筐体全体の外形寸法が大きくなってしまう。したがって従来の記憶装置取り出し機構を有するコンピュータ９０は、十分に小型化することができない。
【０００５】
そこで本発明は、電子機器の筐体外部へと突出した突起を用いずとも記憶装置を筐体から取り出すことができるようにして、電子機器の小型化に寄与する記憶装置取り出し機構を提供することを目的とする。
【課題を解決するための手段】
【０００６】
上記課題を解決するため、本発明に係る記憶装置取り出し機構は、電子機器の筐体内に収容された記憶装置を前記筐体の外部へと取り出すために用いられる記憶装置取り出し機構において、前記記憶装置に固定された前面プレートと、前記前面プレートに取り付けられたカバーと、が設けられており、前記前面プレートは、前記記憶装置が前記筐体内に収容された状態において前記筐体の外部へと一面を向けるように配置されており、前記カバーは、前記前面プレートに接近した第１の位置と、前記前面プレートから距離を空けた第２の位置との間で取り出し方向にスライド可能であり、前記カバーが前記第２の位置よりもさらに前記前面プレートから離れるように前記取り出し方向の力を受けると、前記前面プレートおよび前記記憶装置が前記カバーと共に前記取り出し方向へと移動することを特徴とする。
【０００７】
また、本発明に係る記憶装置取り出し機構は、上記構成に加えて、前記記憶装置が前記筐体に収容されている状態においては、前記第１の位置にある前記カバーの外面が前記筐体の外面の一部を成すことが好ましい。
【０００８】
また、本発明に係る記憶装置取り出し機構は、上記構成に加えて、前記カバーには、前記取り出し方向に延びるアームが少なくとも１つ設けられており、前記アームのうち、前記第１の位置と前記第２の位置との間の距離だけ前記カバーから離れた位置に、前記取り出し方向と交差する方向に突出するツメが設けられており、前記前面プレートには、前記前面プレートを貫通するスリットが少なくとも１つ設けられており、前記スリットは、前記カバーが前記第１の位置から前記取り出し方向に移動するとき前記アームは通過できるが前記ツメは通過できない形状であるようになっているとよい。
【０００９】
また、本発明に係る記憶装置取り出し機構は、上記構成に加えて、前記アームは、前記取り出し方向に延びる角柱の形状を有しており、前記ツメは、前記角柱のうち前記カバーと反対側の端部に設けられており、前記角柱の一側面から突出しているとよい。
【００１０】
また、本発明に係る記憶装置取り出し機構は、上記アームとツメの構成に代えて、前記アームは、前記取り出し方向に交差する左右方向へ分岐した一対の分岐枝を有しており、前記ツメは、前記一対の分岐枝のそれぞれに設けられていて、それぞれの分岐枝に設けられた前記ツメは、それぞれ他方の分岐枝から離れる方向に突出しているようになっていてもよい。
【発明の効果】
【００１１】
本発明に係る記憶装置取り出し機構によれば、記憶装置が電子機器の筐体内に収容されている間は、カバーの位置を、記憶装置に固定された前面プレートに接近した第１の位置としておくことで、カバーは筐体内の記憶装置に接近した位置にあることになり、カバーは筐体外部に突出しない。特に、第１の位置にあるカバーの外面が筐体の外面の一部を成すようになっている場合、つまり筐体外面がカバーの外面と面一となっている場合には、筐体の外面を平坦なものとすることができ、筐体の外形寸法を十分に小型化することができる。
【００１２】
そして記憶装置を筐体の外部へと取り出す場合には、カバーを第２の位置へとスライドさせれば、カバーと前面プレートとの間に距離が空くので、ユーザはこのカバーと前面プレートとの間に指を引っ掛けて、カバーをさらに引っ張ることで、カバーと共に記憶装置を筐体の外部へと移動させて、記憶装置を取り出すことができる。
【図面の簡単な説明】
【００１３】
【図１】本発明の実施形態の一例としての記憶装置取り出し機構を備えた筐体の斜視図。
【図２】本実施形態のカバー、前面プレート、ＨＤＤ、ＨＤＤスロットを示す斜視図。
【図３】（ａ）は本実施形態のカバーを示す斜視図、（ｂ）はカバーの別例を示す斜視図。
【図４】本実施形態の前面プレートおよびＨＤＤを示す斜視図。
【図５】本実施形態のカバーが第２の位置にある状態を示す斜視図。
【図６】本実施形態の記憶装置取り出し機構を用いてＨＤＤを筐体から取り出す様子を示す側面図。
【図７】従来の技術における記憶装置取り出し機構を示す斜視図。
【発明を実施するための形態】
【００１４】
図１に本発明の実施形態の一例を示す。図１には電子機器の一例としてのコンピュータ１０が示されており、このコンピュータ１０は、演算装置などの各種電子部品を内蔵する筐体１１と、各種情報を表示するディスプレイ１４とを備えている。筐体１１の側面には記憶装置を収容するための収容部１５が設けられている。この収容部１５にはカバー２０が取り付けられていて、図１に示す通りカバー２０の外面は筐体１１の外面と面一になっている。つまり、カバー２０の外面が筐体１１の外面の一部を成している。
【００１５】
図２に、本実施形態の記憶装置取り出し機構の構成要素として、収容部１５に収容されているＨＤＤ３０（ハードディスク；記憶装置の一例）と、ＨＤＤ３０に固定された前面プレート３４と、この前面プレート３４に取り付けられるカバー２０と、ＨＤＤ３０が挿入されるＨＤＤスロット１６とを示す。図２においては説明のために、カバー２０、ＨＤＤ３０、ＨＤＤスロット１６を分離して示している。
【００１６】
図２に示すように、前面プレート３４の一面は、ＨＤＤ３０のうちＨＤＤスロット１６へ向けられる側と反対側、つまり筐体１１の外部へと向けられている。以下、各部材の外面について、筐体１１の外部へ向く面を前面、筐体１１の内部へ向く面を背面と呼び、ＨＤＤスロット１６からＨＤＤ３０が取り出される際にＨＤＤ３０が移動する方向、あるいは各部材の前面と背面を結ぶ方向を取り出し方向と呼ぶ。
【００１７】
ＨＤＤスロット１６の奥行寸法はＨＤＤ３０の取り出し方向寸法と等しくなっており、ＨＤＤ３０がＨＤＤスロット１６の奥まで挿入されると、ＨＤＤ３０の背面側がＨＤＤスロット１６の奥に設けられた図示しないコンピュータ側コネクタに接続され、前面プレート３４の背面が収容部１５の前面壁に接触した状態となる。
【００１８】
収容部１５の前面のうち、ＨＤＤスロット１６の下方にはネジ穴１８が左右に２つ、つまり取り出し方向に対する左側と右側にそれぞれ１つずつ設けられている。さらに、これらネジ穴１８の間において四角形状の筐体スリット１２が左右に２つ設けられている。筐体スリット１２は収容部１５の前面壁を貫通しており、その内部は後述のアーム２２の長手方向寸法以上の奥行寸法を持つ空洞になっている。また、カバー２０が収容部１５に取り付けられたときにカバー２０の外面が筐体１１の外面と面一となるように、収容部１５の深み（収容部１５の前面壁と筐体１１の外面との距離）は、カバー２０の厚みとほぼ同じであることが望ましい。
【００１９】
前面プレート３４はＨＤＤ３０の前面を覆っており、かつＨＤＤ３０前面の下端よりも下方へと突出している。前面プレート３４のうち下方へと突出した部分には、前面プレート３４自身を取り出し方向に貫通するプレートスリット３２が左右に２つ設けられている。このプレートスリット３２の位置は、前面プレート３４の背面が収容部１５の前面に接触したときに筐体スリット１２と連通する位置となっている。一方、カバー２０にはアーム２２が左右に２つ設けられていて、この２つのアーム２２がそれぞれプレートスリット３２へ通されることにより、カバー２０が前面プレート３４へ取り付けられる。さらに、カバー２０、前面プレート３４にはそれぞれ取付穴２８、貫通穴３８が設けられていて、ネジ４８が取付穴２８および貫通穴３８を通じて収容部１５のネジ穴１８へねじ込まれることにより、カバー２０が収容部１５に取り付けられる。
【００２０】
図３（ａ）を用いて、カバー２０のアーム２２の形状を説明する。アーム２２はカバー２０の背面から取り出し方向に沿って延びており、その端部にはツメ２６が設けられている。本実施形態においては、アーム２２のうち、ツメ２６以外の部分を平板部２４と呼ぶ。平板部２４は取り出し方向に延びる四角柱の形状をしており、ツメ２６はこの平板部２４の上面からさらに上方（高さ方向）へと突出している。つまり、ツメ２６は取り出し方向と垂直に交差する方向に突出している。なお、カバー２０を取り出し方向に貫通する取付穴２８は左右に２つ、つまり取り出し方向に対する左側と右側にそれぞれ１つずつ設けられている。そして、ツメ２６はこれらの取付穴２８の間において左右に２つ設けられている。
【００２１】
図４に、ＨＤＤ３０およびこれに取り付けられる前面プレート３４を示す。ＨＤＤ３０の背面側にはコンピュータと接続するためのコネクタ３１が設けられている。このコネクタ３１と反対側、すなわち前面側に前面プレート３４が配置されている。図４に示す前面プレート３４は、前面プレート３４と一体的に形成された側面プレート３５およびネジ３９を用いてＨＤＤ３０に固定されている。具体的には、２つの側面プレート３５がそれぞれ前面プレート３４の左端および右端から背面側へと延びており、側面プレート３５同士の間隔はＨＤＤ３０の左右幅と同程度になっている。そのため、側面プレート３５はＨＤＤ３０の側面に沿って接触する。
【００２２】
一般的なＨＤＤ３０には側面にネジ穴が設けられている。側面プレート３５にはＨＤＤ３０側面のネジ穴に対応する位置に穴が設けられていて、その穴を通じてネジ３９がＨＤＤ３０側面のネジ穴にねじ込まれることにより、側面プレート３５およびこれと一体の前面プレート３４がＨＤＤ３０に固定される。また、前面プレート３４の貫通穴３８は、ＨＤＤ３０前面の下端よりも下方へと前面プレート３４が突出した部分において左右に２つ設けられており、プレートスリット３２はこれら貫通穴３８の間において左右に２つ設けられている。
【００２３】
図５に、カバー２０が前面プレート３４に取り付けられた状態でＨＤＤ３０が収容部１５に収容されている様子を示す。プレートスリット３２の形状は四角形であり、その寸法は幅方向（左右方向）では平板部２４の幅方向寸法と同じまたはそれより少し大きい。そのため、平板部２４がプレートスリット３２に通されている状態では、カバー２０は前面プレート３４に対して、平板部２４の長さ方向の範囲内で取り出し方向にスライド可能である。以下、カバー２０が前面プレート３４に対してスライドする範囲のうち、カバー２０が前面プレート３４に最も接近した位置を第１の位置（例えば図１に示す位置）、カバー２０が前面プレート３４から平板部２４の長さ方向寸法だけ距離を空けた位置を第２の位置（例えば図５に示す位置）とする。
【００２４】
図５には、カバー２０が第２の位置にある状態が示されている。プレートスリット３２の高さ方向寸法は平板部２４の高さ方向寸法より大きく、ツメ２６の高さ方向寸法より小さい。このため、カバー２０が第２の位置にある状態でさらに取り出し方向へと引っ張られる（図５中の右下側へ移動させようとする力を受ける）と、ツメ２６の前面側が前面プレート３４の背面に引っかかり、それ以上はカバー２０が前面プレート３４から離れなくなる。なおカバー２０を前面プレート３４へ取り付ける際には、ツメ２６の突出方向が取り出し方向へ向く姿勢となるように（ここでは、平板部２４の長手方向が高さ方向へ向くように）カバー２０を傾けて、ツメ２６をプレートスリット３２へ通した後、カバー２０の姿勢を平板部２４の長手方向が取り出し方向へ向く姿勢に戻すことで、平板部２４がプレートスリット３２に通された状態とすることができる。
【００２５】
一方、カバー２０が第１の位置にある状態では、平板部２４およびツメ２６は前面プレート３４の背面側へ突出する。図２に示す筐体スリット１２は図５では見えなくなっているが、図５に示すような、前面プレート３４の背面が収容部１５の前面に接触した状態では、プレートスリット３２は筐体スリット１２と連通しているため、カバー２０が図５に示す第２の位置から第１の位置へとスライドさせられると、平板部２４およびツメ２６は前面プレート３４の背面側へ突出しつつ、筐体スリット１２の内部へと入り込む。なお図２に示すように、筐体スリット１２の高さ方向寸法はプレートスリット３２の高さ方向寸法よりも大きくなっており（具体的には、図３に示すツメ２６の高さ方向寸法よりも大きくなっており）、アーム２２の全体が抵抗なくその内部へ入り込むことができるようになっている。したがってＨＤＤ３０が収容部１５へ収容された状態でカバー２０が第１の位置へスライドし、さらにネジ４８が取付穴２８および貫通穴３８を通じて収容部１５のネジ穴１８へねじ込まれることにより、カバー２０は筐体１１から外部へ突出することなく、第１の位置で収容部１５に固定されることになる。すると、図１に示すように、カバー２０の前面と収容部１５付近の筐体１１の外面が面一になる。つまり第１の位置にあるカバー２０の外面が筐体１１の外面を成す。
【００２６】
次に、本実施形態においてＨＤＤ３０を筐体１１から取り出す手順を説明する。図１に示すような、収容部１５にカバー２０が取り付けられた状態においてネジ４８を緩めると、図５に示すように、カバー２０は自身の重みによって第２の位置へとスライドする。なおカバー２０が自身の重みだけではスライドしない場合でも、収容部１５上方に設けられている切り欠き１７にマイナスドライバーなどの平たい工具や手指の爪の先などを差し込むことによって、カバー２０を第２の位置へと引き出すことができる。
【００２７】
そして、図６に示すように、ユーザが、第２の位置へスライドしたカバー２０と前面プレート３４との間に指を差し込み、カバー２０を前面プレート３４からさらに離すように取り出し方向の力を加えると、前述のようにツメ２６の前面側が前面プレート３４の背面に引っかかるため、カバー２０はそれ以上前面プレート３４から離れず、ユーザが加えた力は、ツメ２６と前面プレート３４を介して、ＨＤＤ３０全体を筐体１１から引き離すように作用する。つまり、前面プレート３４およびＨＤＤ３０が、カバー２０と共に取り出し方向へと移動し、ＨＤＤ３０が筐体１１から取り出される。
【００２８】
以上のように、本実施形態の記憶装置取り出し機構によれば、ＨＤＤ３０が筐体１１内に収容されている状態では、カバー２０の位置を、ＨＤＤ３０に固定された前面プレート３４に接近した第１の位置としておくことで、カバー２０は筐体１１内のＨＤＤ３０に接近した位置にあることになり、カバー２０は筐体１１外部に突出しない。これにより、図１に示すようにカバー２０の外面が筐体１１の外面と面一となり、筐体１１の外形を外部に突出した部分のないものとすることができる。したがって筐体１１全体の外形寸法を十分に小型化することができる。
【００２９】
そしてＨＤＤ３０を筐体１１の外部へと取り出す場合には、図５，図６に示すようにカバー２０を第２の位置へとスライドさせることで、カバー２０と前面プレート３４との間にユーザが指を引っ掛けることが可能となるので、筐体１１の外部に突出した突起がなくとも、容易にＨＤＤ３０を筐体１１から取り出すことができる。
【００３０】
なお本実施形態においては図３（ａ）に示すように、アーム２２を、四角柱型の平板部２４と、その上方へ突出するツメ２６からなるものとしたが、アーム２２はカバー２０を第１の位置と第２の位置との間でスライド可能とするものであればよく、アーム２２の形状は図３（ａ）の形状に限られない。例えば平板部２４が四角柱以外の角柱（三角柱や六角柱）であっても、カバー２０が第１の位置と第２の位置との間でスライド可能となるように、図２の筐体スリット１２およびプレートスリット３２がアーム２２の形状に応じた形となっていればよい。またプレートスリット３２は、カバー２０が第１の位置から取り出し方向へ移動するときにアーム２２のツメ２６以外の部分が通過可能でツメ２６が通過できない形状であればよく、平板部２４の断面と相似形である必要はない（例えば平板部２４の断面が長方形で、プレートスリットが台形であってもよい）。また収容部１５のＨＤＤスロット１６下方の前面壁は、ツメ２６も含めアーム２２全体を受容できる構造であればよく、例えば筐体スリット１２ではなくネジ穴１８周り以外の壁が取り払われた構造であってもよい。
【００３１】
また、アーム２２が角柱の形状を有することも必須ではなく、例えば図３（ｂ）に示すように、アーム２２を、左右方向へ分岐した一対の分岐枝２５を有する形状（分岐枝２５同士の間に間隔が空いている形状）とし、この分岐枝２５のそれぞれの先端に、他方の分岐枝２５から離れる方向（左右方向）に突出したツメ２７を設けてもよい。この場合、図４に示すプレートスリットの左右方向寸法は、一対の分岐枝２５をまとめた寸法（２本の分岐枝２５の寸法およびこれらの間の間隔の寸法の合計）よりも大きく、一対のツメ２７の左右方向寸法（一方の分岐枝２５のツメ２７先端から他方の分岐枝２５のツメ２７先端までの距離）よりも小さくなっているとよい。アーム２２がこのような形状である場合、ツメ２７を前面プレート３４のプレートスリット３２へ押し付けると、プレートスリット３２周りの前面プレート３４から、分岐枝２５同士の隙間を狭めるように力が作用する（ここで、前面プレート３４から受ける力が分岐枝２５同士の隙間を狭める方向に作用しやすくなるよう、ツメ２７の背面側には傾斜を設けておくことが望ましい）。すると、一対の分岐枝２５が互いに接近し、ツメ２７がプレートスリット３２を通れるようになる。そしてツメ２７がプレートスリット３２を通り抜けると、前面プレート３４から分岐枝２５へ作用していた力が取り除かれ、分岐枝２５同士の間の間隔が元通りに復元されて、ツメ２７が前面プレート３４の背面に引っ掛かるようになる。このように、アーム２２が図３（ｂ）に示すような形状である場合、カバー２０を図４に示す前面プレート３４へ取り付ける際に、カバー２０を傾ける必要がなく、カバー２０の取り付けが行いやすい。
【００３２】
また、図３（ａ），図３（ｂ）ではアーム２２を左右に２つ設けているが、アーム２２の数はこれに限るものではなく、カバー２０が安定して第１の位置と第２の位置との間でスライドできるのであれば、アーム２２は１つでもよいし、３つ以上であってよい。なお、図２に示す筐体スリット１２およびプレートスリット３２は、アーム２２の数に応じて設けられているとよい。また、図３（ａ），図３（ｂ）ツメ２６やツメ２７をアーム２２の先端に設けているが、必ずしも先端に設ける必要はなく、ツメ２６やツメ２７は、第１の位置と第２の位置との間の距離だけカバー２０の背面から離れた位置に設けられていればよい。つまり、アーム２２がツメ２６やツメ２７の位置を越えてさらに延びていてもよい。
【００３３】
また、本実施形態においては記憶装置をＨＤＤ３０（ハードディスク）としたが、これは筐体１１に収容される記憶装置であって前面プレート３４を取り付け可能なものであればよく、例えばＳＳＤ（ソリッドステートドライブ；半導体素子メモリを用いた記憶装置）であってもよい。
【符号の説明】
【００３４】
１０      コンピュータ
１１      筐体
１２      筐体スリット
１４      ディスプレイ
１５      収容部
１６      ＨＤＤスロット
１７      切り欠き
１８      ネジ穴
２０      カバー
２２      アーム
２４      平板部
２５      分岐枝
２６      ツメ
２７      ツメ
２８      取付穴
３０      ＨＤＤ
３１      コネクタ
３２      プレートスリット
３４      前面プレート
３５      側面プレート
３８      貫通穴
３９      ネジ
４８      ネジ
９０      コンピュータ
９２      プレート
９５      ＨＤＤ
９６      突起
【図１】
2018055743.tif 000003
【図２】
2018055743.tif 000004
【図３】
2018055743.tif 000005
【図４】
2018055743.tif 000006
【図５】
2018055743.tif 000007
【図６】
2018055743.tif 000008
【図７】
2018055743.tif 000009